(57)【要約】【課題】カバーの組み付け作業が簡便なシートロック装置を提供する。【解決手段】シートロック装置１０は、車両におけるシートバックをロック状態に保持するとともに、一部がカバー１１で覆われる。シートロック装置１０は、後方から進入するストライカ１４に対して係合する係合溝２６ａを備えるフック部材２６と、フック部材２６を前端近傍で回転自在に軸支する回転軸２６ｃと、回転軸２６ｃが固定される外側ケース２０と、外側ケース２０に形成され、ストライカ１４が進入するストライカ進入溝２０ｉと、ストライカ進入溝２０ｉの両側にそれぞれ設けられ、後方に向けて突出する一対の保持突起２４ａとを有する。カバー１１は、該カバー１１が備える被保持部４０ｄの被保持孔４０ｆに一対の保持突起２４ａが挿入されることにより保持される。【選択図】図５
2019194058.tif 000002
【特許請求の範囲】
【請求項１】
車両におけるシートバックをロック状態に保持するとともに、少なくとも一部がカバーで覆われるシートロック装置であって、
後方から進入するストライカに対して係合する係合溝を備えるフック部材と、
前記フック部材を前端近傍で回転自在に軸支する軸部材と、
前記軸部材が固定されるケース部材と、
前記ケース部材に形成され、前記ストライカが進入するストライカ進入溝と、
前記ストライカ進入溝の両側にそれぞれ設けられ、後方に向けて突出する一対の保持突部と、
を有し、
前記カバーは、該カバーが備える被保持孔に一対の前記保持突部が挿入されることにより保持されることを特徴とするシートロック装置。
【請求項２】
請求項１に記載のシートロック装置において、
前記ケース部材は、前記ストライカ進入溝が形成されるケース側面部を有し、
一対の前記保持突部は前記ケース側面部に当接する側面当接板から突出し、
前記側面当接板は開口孔を有することを特徴とするシートロック装置。
【請求項３】
請求項１又は２に記載のシートロック装置において、
前記ケース部材の前面部に固定された前面当接板を有し、
前記保持突部は、前記前面当接板から後方に向けて折り曲がる屈曲部を介して接続されていることを特徴とするシートロック装置。
【請求項４】
請求項１〜３のいずれか１項に記載のシートロック装置において、
前記ストライカは第１ストライカであって、該第１ストライカは定距離離れた第２ストライカと一体的に連動し、
前記係合溝は前記第１ストライカまたは前記第２ストライカに係合することにより、前記シートバックを２段階の傾斜角度にロックすることを特徴とするシートロック装置。
【発明の詳細な説明】
【技術分野】
【０００１】
本発明は、俯仰可能に構成されたシートバックをロック状態に保持するシートロック装置に関し、特に、少なくとも一部がカバーで覆われるシートロック装置に関する。
【０００２】
車両のシートは座面であるシートクッションと、背もたれであるシートバックとを備えており、このうちシートバックは通常の着座用としての起立姿勢と、荷積の便宜のために前方に倒す前倒姿勢とに俯仰切り替えが可能となっている。着座用の起立姿勢ではシートバックに設けられたシートロック装置が車体本体に固定されたストライカに係合することによりロック状態に保持されて安定するように構成されている。また、起立姿勢についてはシートロック装置の内部機構により２段階に切り替え可能なものもある。シートロック装置は、主に外観意匠上の観点からカバーで覆われることが多い。
【０００３】
シートロック装置は基本的構成として、後方から進入するストライカと、ストライカに係合する係合溝を備えるフック部材と、フック部材を前端近傍で回転自在に軸支する軸部材と、軸部材が固定されるケース部材とを備えている。ケース部材にはストライカが進入するストライカ進入溝が設けられている（例えば、特許文献１参照）。
【先行技術文献】
【特許文献】
【０００４】
【特許文献１】特許第４８４７９０１号公報
【発明の概要】
【発明が解決しようとする課題】
【０００５】
カバーはシートロック装置の外側面と後面との２方向面を覆うことが多く、組み付け部もこの２方向に設けられている。そして、カバーの組み付けはこれらの２方向からの作業が必要となっており、作業の簡便化が求められている。特に、シートバックを２段階に切り替え可能なシートロック装置はサイズが大きくなり、カバーもそれに合わせて大きいものが用いられることから、組み付け作業簡便化の要請が高い。
【０００６】
本発明は、上記の課題に鑑みてなされたものであって、組み付け作業の簡便なシートロック装置を提供することを目的とする。
【課題を解決するための手段】
【０００７】
上述した課題を解決し、目的を達成するために、本発明にかかるシートロック装置は、車両におけるシートバックをロック状態に保持するとともに、少なくとも一部がカバーで覆われるシートロック装置であって、後方から進入するストライカに対して係合する係合溝を備えるフック部材と、前記フック部材を前端近傍で回転自在に軸支する軸部材と、前記軸部材が固定されるケース部材と、前記ケース部材に形成され、前記ストライカが進入するストライカ進入溝と、前記ストライカ進入溝の両側にそれぞれ設けられ、後方に向けて突出する一対の保持突部と、を有し、前記カバーは、該カバーが備える被保持孔に一対の前記保持突部が挿入されることにより保持されることを特徴とする。
【０００８】
前記ケース部材は、前記ストライカ進入溝が形成されるケース側面部を有し、一対の前記保持突部は前記ケース側面部に当接する側面当接板から突出し、前記側面当接板は開口孔を有してもよい。
【０００９】
前記ケース部材の前面部に固定された前面当接板を有し、前記保持突部は、前記前面当接板から後方に向けて折り曲がる屈曲部を介して接続されていてもよい。
【００１０】
前記ストライカは第１ストライカであって、該第１ストライカは定距離離れた第２ストライカと一体的に連動し、前記係合溝は前記第１ストライカまたは前記第２ストライカに係合することにより、前記シートバックを２段階の傾斜角度にロックしてもよい。
【発明の効果】
【００１１】
本発明にかかるシートロック装置では、後方に突出する一対の保持突部がストライカ進入溝の上下に設けられており、カバーは、該カバーが備える被保持孔に一対の保持突部が挿入されることから、組み付け作業が簡便である。
【図面の簡単な説明】
【００１２】
【図１】図１は、シートロック装置が適用されるシートを示す模式斜視図である。
【図２】図２は、シートロック装置が適用されるシートを示す模式側面図である。
【図３】図３は、シートロック装置の斜視図である。
【図４】図４は、シートロック装置の一部省略側面図である。
【図５】図５は、カバーが装着されたシートロック装置の斜視図である。
【図６】図６は、カバーの斜視図である。
【図７】図７は、カバー保持部材に係合されたカバーを内側から見た斜視図である。
【発明を実施するための形態】
【００１３】
以下に、実施形態にかかるシートロック装置１０を図面に基づいて詳細に説明する。なお、この実施形態によりこの発明が限定されるものではない。
【００１４】
図１および図２に示すように、本実施の形態にかかるシートロック装置１０は車両の左右のシート１２にそれぞれ適用される。シートロック装置１０は一部がカバー１１で覆われている。シート１２は座面であるシートクッション１２ａと、背もたれであるシートバック１２ｂを備えている。シートバック１２ｂは、シートバック回転軸１３を中心として回動し、通常の着座用としての起立姿勢と、荷積の便宜のために前方に倒す前倒姿勢とに俯仰切り替えが可能となっている。また、起立姿勢についてはシートロック装置１０の機構により標準な第１起立姿勢と、それよりも深い傾斜の第２起立姿勢との２段階に切り替え可能となっている。図１ではシートバック１２ｂの第１起立姿勢を実線で示し、前倒姿勢と第２起立姿勢を仮想線で示している。
【００１５】
シートロック装置１０は、シートバック１２ｂの肩部のやや下方内部に設けられており、車体パネル側に固定されている金属製の第１ストライカ１４ａ又は第２ストライカ１４ｂに係合することによりシートバック１２ｂを２つの起立姿勢にロックすることができる。またシートロック装置１０と第１ストライカ１４ａ及び第２ストライカ１４ｂとの係合を解除することによりシートバック１２ｂを前倒姿勢に倒すことができる。
【００１６】
第１ストライカ１４ａと第２ストライカ１４ｂは定距離だけ離れて並列され、先端が相互接続されて一方が開口の矩形をなし、その開口側がストライカベース１５に固定されている。第１ストライカ１４ａと第２ストライカ１４ｂのいずれかを代表的にストライカ１４とも呼ぶ。シートロック装置１０でカバー１１に覆われない箇所については、シートバック１２ｂにより覆われ、シートロック装置１０はストライカ１４が進入するごく一部を除いてほぼ全体が視認されないようになっている。カバー１１は視認される部品であることから、全体的にやや丸みを帯びた見栄えのよいデザインとなっている。
【００１７】
シートバック１２ｂを前倒姿勢から持ち上げることにより、最初に第１ストライカ１４ａがシートロック装置１０に係合し第１起立姿勢となる。次いで、シートバック１２ｂの肩部に設けられた操作部１６を操作することによりシートロック装置１０と第１ストライカ１４ａとの係合が解除され、より深く倒すことにより第２ストライカ１４ｂが係合して第２起立姿勢でロックされ、または再度前倒することにより前倒姿勢に戻される。第２起立姿勢における係合解除も操作部１６を操作することによる。
【００１８】
シートロック装置１０は車両の左右のシート１２にそれぞれ適用される。以下の説明では、車両の左側のシート１２（図１の手前側）及びその内部のシートロック装置１０を例にして説明するが、右側においても左右対称又は略左右対称で同様の作用効果がある。また、以下の説明では方向として車両の前後、内外、上下を基準とし、シートバック１２ｂは基本的に第１起立姿勢とする。各図面では理解を容易にするため前後方向をＸ，前方をＸ１、後方をＸ２、車幅方向をＹ、内方向をＹ１、外方向をＹ２、上下方向をＺ、上方をＺ１、下方をＺ２としてそれぞれ矢印で示す。さらに、シートロック装置１０とストライカ１４との相対的動作については、シートロック装置１０を基準として、ストライカ１４が変位するものとして説明する。
【００１９】
図３に示すように、シートロック装置１０は、外側ケース（ケース部材）２０と、内側ケース２２と、カバー保持部材２４と、ストライカ１４に対して係合するフック部材２６とを有する。フック部材２６は内部機構２８の一部である。外側ケース２０、内側ケース２２およびカバー保持部材２４は、例えば金属のプレス成形品である。フック部材２６はストライカ１４が係合する係合溝２６ａと、遊嵌溝２６ｂと、回転軸（軸部材）２６ｃとを有する。係合溝２６ａは後端近傍、遊嵌溝２６ｂは中央部、回転軸２６ｃは前端近傍に設けられている。係合溝２６ａは前後を角部２６ｄと副角部２６ｅとに挟まれた部分である。
【００２０】
外側ケース２０は内部機構２８を覆う外側面２０ａと、前面２０ｂと、後面２０ｃと、上面２０ｄと、下面２０ｅとを有する。外側ケース２０はさらに、下面２０ｅから折り返されて下方に突出する２つの取付片２０ｆと、上面２０ｄから折り返されて上方に突出する取付片２０ｇと、上面から折り返されて上方に突出する保持突片２０ｈとを有する。保持突片２０ｈは操作部１６の嵌合部と嵌合して仮保持するためのものである。
【００２１】
外側面（ケース側面部）２０ａとフック部材２６との車幅方向隙間は狭い。外側面２０ａおよび後面２０ｃには、ストライカ１４が進入するストライカ進入溝２０ｉが設けられている。シートロック装置１０は２段ロック式であることから、後述するように第１ストライカ１４ａが遊嵌溝２６ｂまで進入するためそれだけストライカ進入溝２０ｉも車長方向に長く形成されている。ストライカ進入溝２０ｉが長いことから、それだけシートロック装置１０は大型となっており、さらにはそれを覆うカバー１１も大型である。ストライカ進入溝２０ｉは外側ケース２０の後端から前方に向かって回転軸２６ｃの近傍まで延在するとともに後面２０ｃを横断している。外側面２０ａは回転軸２６ｃの外側端を軸支しており、該回転軸２６ｃは外側面２０ａからわずかに突出している。外側面２０ａには内側に凸の円弧状膨出部２０ｊが設けられている。円弧状膨出部２０ｊは回転軸２６ｃを中心とし、フック部材２６の回動範囲に合わせて設けられており、該フック部材２６が外力によって外側に変位することを抑制する作用を奏する。
【００２２】
内側ケース２２は内部機構２８を覆う内側面２２ａ（図４参照）と、前面２２ｂと、後面２２ｃ（図４参照）とを有する。内側ケース２２は外側ケース２０と組み合わさり内部機構２８を覆う。内部機構２８は前方を前面２０ｂおよび前面２２ｂで覆われており、後方を後面２０ｃおよび後面２２ｃで覆われている。内側ケース２２の下方部は、外側ケース２０の２つの取付片２０ｆの下辺とほぼ同じ位置まで下方に延在している。内側ケース２２の下方部と２つの取付片２０ｆには同軸のボルト孔３０が設けられている。内側ケース２２は、上方に突出する取付片２２ｄを有する。取付片２２ｄと取付片２０ｇとは重なり合う同形状であって、同軸のボルト孔３２が設けられている。ボルト孔３０，３２にボルトを挿通してシートバック１２ｂにおけるフレームに対して螺合することにより、シートロック装置１０が固定される。内側ケース２２にはストライカ１４が進入するストライカ進入溝２２ｅが設けられている。内側ケース２２のストライカ進入溝２２ｅと外側ケース２０のストライカ進入溝２０ｉとは側面視でほぼ重なり合う。内側ケース２２は回転軸２６ｃの内側端を軸支している。
【００２３】
カバー保持部材２４は、一対の保持突起２４ａと、外側面２０ａに当接している側面当接板２４ｂと、前面２０ｂに固定された前面当接板２４ｃとを有する。前面当接板２４ｃは内側に凸の略三角形状であって、中央のエンボス２４ｄによって前面２０ｂに固定されている。前面当接板２４ｃの下辺は前面２０ｂの下辺とほぼ一致している。
【００２４】
側面当接板２４ｂは、前面当接板２４ｃから後方に向けて９０度折り曲がる屈曲部を介して接続されており、後方に向けて広がる略台形となっている。側面当接板２４ｂの下辺は下面２０ｅの前方部とほぼ一致している。側面当接板２４ｂには、輪郭よりも一回り小さい略台形の開口孔２４ｅが設けられており、回転軸２６ｃと干渉することがない。側面当接板２４ｂの板厚は回転軸２６ｃの突出量よりもわずかに厚く形成されている。開口孔２４ｅにより軽量化が図られる。側面当接板２４ｂの後方部を形成する上下延在梁の中央には、回転軸２６ｃを中心とした湾曲部２４ｆが形成されている。湾曲部２４ｆにより、回転軸２６ｃの周辺に組み立て時の治具を配置することができる。湾曲部２４ｆの後端はストライカ進入溝２０ｉの前端とほぼ接している。エンボス２４ｄに相当する固定手段は側面当接板２４ｂに設けられていてもよい。
【００２５】
一対の保持突起２４ａはやや長尺な板形状であって、側面当接板２４ｂの後端上下から僅かに外側に屈曲し、さらに後方に屈曲し、ストライカ進入溝２０ｉの上下両側で後方に向けて平行に突出している。保持突起２４ａの延在方向はストライカ進入溝２０ｉおよびストライカ１４の進入経路の線Ｌ１にほぼ平行である。保持突起２４ａと外側面２０ａとの間には適度な隙間が設けられている。保持突起２４ａの長さは、ストライカ進入溝２０ｉの前後方向長さの略半分である。後述するように、保持突起２４ａはカバー１１を保持する。
【００２６】
次に、図４に示すように、内部機構２８は上記のフック部材２６に加え、センシングレバー３４と、カムプレート３６と、オープンレバー３８とを有する。フック部材２６、センシングレバー３４およびカムプレート３６は図４における時計方向に弾性付勢されており、オープンレバー３８は反時計方向に弾性付勢されている。フック部材２６は図４における手前側に配置されており、カムプレート３６はその奥に配置されており、センシングレバー３４およびオープンレバー３８はさらにその奥でほぼ上下に並んで配置されている。
【００２７】
フック部材２６は、第１ストライカ１４ａが後方から進入し、角部２６ｄを押し上げて通過すると弾性力によって再び時計方向に回転して第１ストライカ１４ａを係合溝２６ａに係合させる。これによりシートバック１２ｂは第１起立姿勢にロックされる。さらにオープンレバー３８を操作することによりフック部材２６を一時的に反時計方向に回動させた状態で第１ストライカ１４ａを線Ｌ１に沿って進入させ、フック部材２６を元位置に戻すと、第１ストライカ１４ａは遊嵌溝２６ｂに嵌るとともに第２ストライカ１４ｂは係合溝２６ａに係合する。これによりシートバック１２ｂは第２起立姿勢にロックされる。
【００２８】
センシングレバー３４は、中央の回転軸３４ａで軸支されており、後端の検出部３４ｂがストライカ１４に対して当接／非当接することで角度が変わる部材であり、前端のピン３４ｃがカムプレート３６を変位させる。
【００２９】
カムプレート３６は、前方上端の回転軸３６ａで軸支されており、ストライカ１４が係合溝２６ａに係合しているとき、下方のカム面３６ｂがフック部材２６の拘束ピン２６ｇを押圧することによりフック部材２６を安定させる。カムプレート３６は、大きい外力を受けて拘束ピン２６ｇがカム面３６ｂを押し上げたときに、後方のインターロック面３６ｃがフック部材２６のインターロックピン２６ｆを受け止めることによりフック部材２６が過度に回動することを防止する。カムプレート３６は、ストライカ１４と係合溝２６ａとの係合を解除させる際にはピン３６ｄがオープンレバー３８によって操作されることによりやや回動する。これにより、インターロックピン２６ｆは逃げ部３６ｅに進入可能となり、フック部材２６は反時計方向へ回動可能となり、ストライカ１４と係合溝２６ａとの係合が解除される。
【００３０】
オープンレバー３８は、上方の回転軸３８ａで軸支されており、ロッド孔３８ｂに接続されるロッドにより回動される。ロッドによってオープンレバー３８が回動すると、カム解除レバー面３８ｃがピン３６ｄをやや押し上げ、さらに扇形のカム保持曲面３８ｄがピン３６ｄに摺接してその位置を保持させる。これによりカムプレート３６は適正な解除位置に保持される。またロッドによってオープンレバー３８が回動すると、フック解除突起３８ｅがインターロックピン２６ｆを押し上げることによりフック部材２６を適正な解除位置まで回動させ、上記のようにストライカ１４と係合溝２６ａとの係合が解除される。つまり、インターロックピン２６ｆはストライカ１４を解除するフック解除ピンとしての機能を兼ね備えている。
【００３１】
図５に示すように、シートロック装置１０は外側面２０ａの多くの部分と後面２０ｃ，２２ｃのほぼ全面がカバー１１によって覆われる。
【００３２】
図５および図６に示すように、カバー１１は側面４０ａと、背面４０ｂと、ストライカ開口４０ｃとを有する。側面４０ａと背面４０ｂとは緩やかな屈曲部を介してつながっている。側面４０ａは、シートロック装置１０における外側面２０ａ、取付片２０ｇ、取付片２０ｆを含む多くの部分を覆っている。側面４０ａは前方が狭くて後方に向かって広がる略三角形状であり、その前方頂部は回転軸２６ｃの近傍に位置している。背面４０ｂは、シートロック装置１０における後面２０ｃ、取付片２０ｇ、取付片２０ｆ、後面２２ｃを含むほぼ全面を覆っている。
【００３３】
ストライカ開口４０ｃはカバー１１の中央高さ位置に設けられており、側面４０ａでは後端から前端近傍まで開口し、背面４０ｂでは外側端から内側に向かって略中央位置まで開口している。ストライカ開口４０ｃは、上記のストライカ進入溝２０ｉに合わせた位置にあり、該ストライカ進入溝２０ｉよりもやや狭く形成されている。ストライカ開口４０ｃは内側に向かって滑らかに窄まった形状である。ストライカ進入溝２０ｉのエッジはカバー１１によって覆われ、露呈しない。
【００３４】
図７に示すように、カバー１１は内側面に一対の被保持部４０ｄと、複数の係合爪４０ｅとを有する。被保持部４０ｄは側面４０ａの前方端近傍におけるストライカ開口４０ｃの上下位置に設けられた低いブリッジ部材であり、それぞれ前後に連通する被保持孔４０ｆが形成されている。一対の被保持孔４０ｆは一対の保持突起２４ａが十分深く、かつ適度な摩擦をもって嵌合するように形成されている。なお、図７では被保持孔４０ｆと保持突起２４ａとの係合が理解されるように、カバー１１とともに単体のカバー保持部材２４を図示している。
【００３５】
係合爪４０ｅは被保持部４０ｄからはやや離れた位置に設けられている。係合爪４０ｅと被保持部４０ｄは、カバー１１の内面における外周近傍でバランスよく分散して設けられている。カバー１１の装着は、まず後方から前方に向かってスライドさせることにより、一対の保持突起２４ａが一対の被保持孔４０ｆに嵌合する。これによりカバー１１の前方部がシートロック装置１０に対して固定される。さらに、係合爪４０ｅをシートバック１２ｂに設けられた係合部に対して係合させる。これによりカバー１１の後方部および上下がシートバック１２ｂに対して固定される。
【００３６】
このように、カバー１１はシートバック１２ｂだけでなくカバー保持部材２４の保持突起２４ａによっても保持されることで安定する。シートロック装置１０は２段ロック式であることから、ストライカ進入溝２０ｉがやや長くしかも全体的にサイズが大きいため、側面でストライカ進入溝２０ｉを囲む範囲をやや広く覆う必要があり、しかもこの範囲はシートバック１２ｂに固定することはできない。このため、この範囲の一部を保持突起２４ａで保持することによりカバー１１は安定する。特に、カバー１１の側面４０ａはやや広くしかも中央にやや長いストライカ開口４０ｃが設けられていることから、そのままでは不安定であるが被保持部４０ｄはストライカ開口４０ｃの前方端近傍における上下位置に設けられていることから、保持突起２４ａとの係合によって安定する。保持突起２４ａと被保持部４０ｄとの嵌合／抜き取りはカバー１１を前後にスライドさせるだけの簡単な操作で済み、従来のような２方向からの作業が不要である。
【００３７】
カバー保持部材２４は、側面当接板２４ｂと前面当接板２４ｃとにより、外側ケース２０の外側面２０ａから前面２０ｂにわたって架け渡されるように当接しており、安定している。
【００３８】
本発明は、上記した実施形態に限定されるものではなく、本発明の主旨を逸脱しない範囲で自由に変更できることは勿論である。
【符号の説明】
【００３９】
１０  シートロック装置
１１  カバー
１２ｂ  シートバック
１４，１４ａ，１４ｂ  ストライカ
２０ｉ，２２ｅ  ストライカ進入溝
２０  外側ケース
２０ａ  外側面
２０ｂ  前面
２０ｃ，２２ｃ  後面
２０ｆ，２０ｇ，２２ｄ  取付片
２２  内側ケース
２４  カバー保持部材
２４ａ  保持突起
２４ｂ  側面当接板
２４ｃ  前面当接板
２４ｄ  エンボス
２４ｅ  開口孔
２６  フック部材
２６ａ  係合溝
２６ｃ  回転軸
３０，３２  ボルト孔
４０ｅ  係合爪
４０ａ  側面
４０ｂ  背面
４０ｃ  ストライカ開口
４０ｄ  被保持部
４０ｆ  被保持孔
【図１】
2019194058.tif 000003
【図２】
2019194058.tif 000004
【図３】
2019194058.tif 000005
【図４】
2019194058.tif 000006
【図５】
2019194058.tif 000007
【図６】
2019194058.tif 000008
【図７】
2019194058.tif 000009